(57)【特許請求の範囲】
【請求項１】
外槽と、
上記外槽の内部に回転可能に配置され、洗濯物が収容される内槽と、
上記内槽を回転させる駆動装置と、
上記外槽の内部に給水する給水装置と、
上記外槽の内部に給水された水から、上記洗濯物の汚れ度合いを検出する汚れ検出部と、
洗濯コースを選択する選択部と、
上記選択部で選択された洗濯コースに応じて、上記駆動装置および上記給水装置を制御する制御装置と、
を備え、
上記選択部で使用者の入力により選択可能な洗濯コースとして、標準コースと、この標準コースよりも上記洗濯物を痛めないように上記駆動装置および上記給水装置が制御されるおしゃれ着洗いコースとを有し、このおしゃれ着洗いコースには、第１ドライコースと、この第１ドライコースよりも洗浄性能が高い第２ドライコースとが含まれており、
上記選択部で上記おしゃれ着洗いコースが選択されたときに、上記汚れ検出部により検出された結果に応じて、上記第１，第２ドライコースのいずれかを選択するドライコース選択部を有し、
上記第１，第２ドライコースのうちの選択されているドライコースを表示するための表示部を備えていることを特徴とする洗濯機。
【請求項２】
請求項１に記載の洗濯機において、
上記給水装置が、上記内槽に収容された上記洗濯物に向けて水流を噴射するための給水ノズルを含み、
上記第２ドライコースの洗濯工程において、上記給水ノズルから水流が上記洗濯物に向けて噴射されることを特徴とする洗濯機。
【請求項３】
請求項１または２に記載の洗濯機において、
上記選択部が、上記第１，第２ドライコース毎に上記駆動装置および上記給水装置の制御設定を行うためのドライコース設定部を有することを特徴とする洗濯機。
【請求項４】
請求項１から３のいずれか１つに記載の洗濯機において、
上記外槽内の水位を検出する水位センサを備え、
上記おしゃれ着洗いコースが選択されたときの上記外槽の内部の水位が、上記標準コースが選択されたときの上記外槽の内部の水位よりも高くなるように、上記給水装置が制御されることを特徴とする洗濯機。
【発明の詳細な説明】
【技術分野】
【０００１】
この発明は、洗濯機に関する。
【背景技術】
【０００２】
特許文献１には、洗濯機の洗濯コースを選択する操作パネルを備えた洗濯機が記載されている。この洗濯機では、操作パネルに制御回路部が含まれており、この制御回路部が、選択された洗濯コースに従って、モータおよび給水系を制御するようになっている。
【先行技術文献】
【特許文献】
【０００３】
【特許文献１】特許第４９０９３８７号公報
【発明の概要】
【発明が解決しようとする課題】
【０００４】
ところで、洗濯機の洗濯コースとしては、一般に、標準コースと、この標準コースよりも洗濯物を痛めないように洗濯が行われるドライコースとが含まれており、洗濯する衣類の種類に応じて選択されるようになっている。
【０００５】
しかし、近年、衣類の多様化により、標準コースおよびドライコースだけでは、衣類に適した洗濯が行えない場合が増えている。
【０００６】
そこで、本発明の課題は、多様な衣類に適した洗濯が行える洗濯機を提供することにある。
【課題を解決するための手段】
【０００７】
上記課題を解決するため、本発明の洗濯機は、
外槽と、
上記外槽の内部に回転可能に配置され、洗濯物が収容される内槽と、
上記内槽を回転させる駆動装置と、
上記外槽の内部に給水する給水装置と、
洗濯コースを選択する選択部と、
上記選択部で選択された洗濯コースに応じて、上記駆動装置および上記給水装置を制御する制御装置と、
を備え、
上記選択部で選択可能な洗濯コースとして、標準コースと、この標準コースよりも上記洗濯物を痛めないように上記駆動装置および上記給水装置が制御されるおしゃれ着洗いコースとを有し、このおしゃれ着洗いコースには、第１ドライコースと、この第１ドライコースよりも洗浄性能が高い第２ドライコースとが含まれていることを特徴としている。
【発明の効果】
【０００８】
本発明によれば、洗濯コースとして、標準コースと、この標準コースよりも洗濯物を痛めないように駆動装置および給水装置が制御されるおしゃれ着洗いコースとを有し、このおしゃれ着洗いコースに、第１ドライコースと、この第１ドライコースよりも洗浄性能が高い第２ドライコースとが含まれている。これにより、多様な衣類に適した洗濯を行うことができる。
【図面の簡単な説明】
【０００９】
【図１】本発明の第１実施形態の洗濯機の一例のドラム式洗濯機の外観斜視図である。
【図２】図１のドラム式洗濯乾燥機のＡ−Ａ矢視断面模式図である。
【図３】図１のドラム式洗濯乾燥機の制御ブロック図である。
【図４】図１のドラム式洗濯乾燥機の標準コースの洗濯工程のシーケンス図である。
【図５】図１のドラム式洗濯乾燥機の第１ドライコースの洗濯工程のシーケンス図である。
【図６】図１のドラム式洗濯乾燥機の第２ドライコースの洗濯工程のシーケンス図である。
【図７】本発明の第２実施形態の洗濯機のドラム式洗濯乾燥機の操作表示部５の外観図である。
【図８】本発明の第３実施形態の洗濯機のドラム式洗濯乾燥機の制御ブロック図である。
【発明を実施するための形態】
【００１０】
以下、本発明の一実施形態を添付図面に従って説明する。なお、以下の説明では、必要に応じて特定の方向あるいは位置を示す用語（例えば、「上」、「下」、「右」、「左」を含む用語）を用いるが、それらの用語の使用は図面を参照した発明の理解を容易にするためであって、それらの用語の意味によって本発明の技術的範囲が限定されるものではない。また、以下の説明は、本質的に例示に過ぎず、本発明、その適用物、あるいは、その用途を制限することを意図するものではない。さらに、図面は模式的なものであり、各寸法の比率等は現実のものとは必ずしも合致していない。
【００１１】
（第１実施形態）
本発明の第１実施形態のドラム式洗濯乾燥機１は、図１に示すように、前面に開口部２を有する外箱１ａを備えている。この外箱１ａには、ヒンジで回動自在に取り付けられたドア３と、選択部の一例の操作表示部５とが設けられている。また、外箱１ａの内部には、図２に示すように、外槽４と、この外槽４の内部に配置された内槽であるドラム６と、給水装置７とが設けられている。
【００１２】
ドア３は、外箱１ａの前面の略中央に、開口部２を開閉できるように配置されている。ドア３の一部は、ドラム６の内部を視認できるように、ガラス等の透明部材で構成されている。
【００１３】
操作表示部５は、外箱１ａの前面の上側隅部に配置され、電源入／切キー、運転内容を選択して決定するための複数の選択キー（例えば、洗濯コース選択キー、スタートキー等）、および、選択キーによって選択された運転内容を表示する表示部等を有している。
【００１４】
外槽４は、有底の筒形状を有し、その後側の底部に設けられたサスペンション１６によって、外箱１ａに弾性支持されている。外槽４の前面には、弾性体からなるパッキン２０が固着されている開口部１５が設けられている。この開口部１５は、外箱１ａの開口部２に対向するように配置されている。外槽４の後面には、ドラム６を回転させる駆動装置の一例のメインモータ１７が設けられている。外槽４の底部には、外槽４の内部の洗濯水等を外部に排水するための排水口２６が設けられている。また、外槽４の側壁には、溢水口６０が設けられている。この溢水口６０は、外槽４の開口部１５の縁部よりやや下方に配置され、図示しない溢水管を介して、後述する排水ホース２９に接続されている。
【００１５】
ドラム６は、その内部に洗濯物が収容可能な有底の筒形状を有し、外槽４に回動可能に支持されている。ドラム６の前面には、開口部１８が設けられており、この開口部１８が、外箱１ａの開口部２および外槽４の開口部１５に対向している。また、ドラム６の周壁には、全域に亘って、複数の貫通孔１９（図２においては６個のみを代表的に図示）が設けられている。この貫通孔１９によって、外槽４およびドラム６の間の空間とドラム６の内部空間との間で、洗濯処理剤（洗剤、柔軟剤、漂白剤等）、水、および、空気が流通するようになっている。
【００１６】
なお、ドラム６の回転軸は、外槽４の重心を通る前後方向の軸と平行になっており、水平方向に対して５°から３０°の角度を有するように傾斜するか又は水平になっている。
【００１７】
給水装置７は、収容ケース８と、給水部１２と、給水ノズル２５とを備えている。収容ケース８は、外槽４の前面の上側に配置されている。給水部１２は、外槽４の後面の上側に配置されている。また、給水ノズル２５は、ドラム６の開口部１８の縁部に配置されている。
【００１８】
給水部１２は、収容ケース給水経路９を介して収容ケース８に接続され、ノズル給水経路１１を介して給水ノズル２５に接続されている。この給水部１２には、水道の蛇口（図示せず）からの水道水が供給される。収容ケース給水経路９には、この収容ケース給水経路９を開閉する第１給水弁１３（本給水）が設けられている。ノズル給水経路１１には、このノズル給水経路１１を開閉する第２給水弁（ノズル給水）１４が設けられている。また、収容ケース８は、外槽給水経路１０を介して外槽４に接続されている。
【００１９】
収容ケース８は、本体部２１と蓋部２２とで構成されている。本体部２１は、外箱１ａの天面に対向する開口部を有し、その内部に洗濯処理剤が収容可能になっている。本体部２１には、図示していないが、洗剤収容室と柔軟剤収容室とが設けられている。蓋部２２は、本体部２１の開口部を開閉可能に覆い、外箱１ａの一部を構成している。
【００２０】
収容ケース給水経路９は、第１経路２３と第２経路２４とで構成されている。この第１，第２経路２３，２４は、第１給水弁１３によって、何れか一方のみ、あるいは、両方を同時に開閉できるようになっている。第１経路２３は、給水部１２と収容ケース８の本体部２１の洗剤収容室とに接続されている。また、第２経路２４は、第１給水弁１３と収容ケース８の本体部２１の柔軟剤収容室とに接続されている。
【００２１】
給水ノズル２５は、その先端部がドラム６の開口部１８に対向するように取り付けられており、液滴シャワー流Ｓを噴射可能になっている。給水ノズル２５から噴射された液的シャワー流Ｓは、例えば、洗濯工程時、あるいは、すすぎ工程時に、ドラム６の内部の洗濯物７０に向けて噴射される。なお、給水ノズル２５の先端には、図示しない絞り部が設けられている。
【００２２】
また、外箱１ａの内部の外槽４の下側には、排水口２６に接続された排水ダクト２７と、排水ダクト２７に接続されたフィルタケース２８と、フィルタケース２８に接続された排水ホース２９とが設けられている。外槽４の内部の洗濯水は、排水口２６、排水ダクト２７、フィルタケース２８、および、排水ホース２９を通って外箱１ａの外部に排出されるようになっている。
【００２３】
フィルタケース２８は、その内部に、樹脂製または金属製のリントフィルタ３２を有している。このリントフィルタ３２によって、フィルタケース２８を通過する洗濯水から糸屑等の異物が除去される。また、フィルタケース２８には、エアトラップ３３が一体に設けられている。このエアトラップ３３には、導圧パイプ３４を介して、外槽４の内部の水位を検出する水位センサ４２（図３に示す）が接続されている。排水ホース２９は、その一端が外箱１ａの外部に位置しており、フィルタケース２８に近い側の端部に、排水用モータ３１（図３に示す）により開閉される排水弁３０を有している。
【００２４】
水位センサ４２は、コイルと、エアトラップ３３の内部の空気圧の変化に応じてコイルの内部を移動する磁性体とを有し、外槽４の排水口２６よりも高い位置に配置されている。この水位センサ４２は、磁性体の位置によって生ずるコイルのインダクタンスを発振周波数として検出し、検出された発振周波数に基づいて、外槽４の内部の水位を検出する。
【００２５】
外箱１ａの内部の外槽４の下側には、外槽４の内部の洗濯水を循環させるための循環経路（図示せず）が設けられている。この循環経路には、循環ポンプ３５（図３に示す）が設けられている。
【００２６】
循環ポンプ３５は、排水口２６から排水された洗濯水を再び外槽４の内部に戻すようになっている。また、汚れセンサ４８は、洗濯物７０の汚れ度合いを検出する。例えば、汚れセンサ４８は、洗濯液の光の透過率、あるいは、導電率を検出し、この検出結果に基づいて使用している洗剤の種類を判別する。使用している洗剤が粉末洗剤であると判別された場合、洗濯物７０の汚れ度合いが高く、使用している洗剤が液体洗剤であると判別された場合、洗濯物７０の汚れの度合いが低いと判断される。
【００２７】
なお、外箱１ａの内部には、回転速度センサ４３、電圧センサ４４、振動センサ４５、循環ポンプ３５、インバータ４７、ヒートポンプユニット１００、および、送風ファン１１０等が設けられている。回転速度センサ４３は、ドラム６の回転速度を検出する。電圧センサ４４は、メインモータ１７の電圧を検出する。また、振動センサ４５は、ドラム６の振動を検出する。
【００２８】
また、上記ドラム式洗濯乾燥機１は、図３に示すように、演算等を行うＣＰＵ、洗濯機１の制御に必要なプログラムあるいはデータ等を記憶しておくＲＯＭおよびＲＡＭ、および、入出力回路等からなる制御装置４０を備えている。
【００２９】
制御装置４０は、操作表示部５、水位センサ４２、回転速度センサ４３、電圧センサ４４、および、振動センサ４５から入力された信号に基づいて、操作表示部５および負荷駆動回路４６を制御する。負荷駆動回路４６は、制御装置４０からの命令に基づいて、第１給水弁１３、第２給水弁１４、排水用モータ３１、循環ポンプ３５、メインモータ１７、ヒートポンプユニット１００、および、送風ファン１１０を駆動させる。すなわち、制御装置４０は、例えば、操作表示部５で選択された洗濯コースに応じて、メインモータ１７および第１，第２給水弁１３，１４を制御する。なお、メインモータ１７は、インバータ４７を介して駆動される。
【００３０】
上記ドラム式洗濯乾燥機１では、洗濯コースとして、標準コースとおしゃれ着洗いコースとが設けられている。標準コースは、汚れの気になる普段の衣類の洗濯に適したコースであり、おしゃれ着洗いコースは、所謂おしゃれ着（例えば、ウールあるいはアクリルセーター、ブラウス、フレアスカート）の洗濯に適したコースである。また、おしゃれ着洗いコースには、第１ドライコースと、この第１ドライコースよりも洗浄性能が高い第２ドライコースとが設けられている。なお、標準コース、および、第１，第２ドライコースは、洗濯工程、すすぎ工程、および、脱水工程をそれぞれ含んでいる。
【００３１】
また、制御装置４０は、ドライコース選択部４０ａを有している。このドライコース選択部４０ａは、操作表示部５で洗濯コースとしておしゃれ着洗いコースが選択されたときに、汚れセンサ４８により検出された洗濯物７０の汚れ度合いに応じて、第１，第２ドライコースのいずれかを選択する。具体的には、汚れセンサ４８により検出された洗濯物７０の汚れ度合いが低い場合、ドライコース選択部４０ａは、第１ドライコースを選択する。また、汚れセンサ４８により検出された洗濯物７０の汚れ度合いが高い場合、ドライコース選択部４０ａは、第２ドライコースを選択する。
【００３２】
なお、ドライコース選択部４０ａは、ＣＰＵが所定のプログラムを実行することにより実現される機能である。
【００３３】
次に、図４〜６を参照して、上記ドラム式洗濯乾燥機１の洗濯コースの洗濯工程について説明する。なお、図４〜６において、メインモータ１７の「L ON」はドラム６の正回転を表し、「R ON」はドラム６の逆回転を表している。
【００３４】
標準コースの洗濯工程は、図４に示すように、［給水］、［なじませ］、［洗い１］、［補給水］、［洗い２］、および、［排水］の各工程で構成されている。
【００３５】
標準コースの洗濯工程では、最初の［給水］を除く全工程でメインモータ１７が制御され、タンブリング動作が行われる。この標準コースのタンブリング動作では、４９ｒｐｍで２０秒間、ドラム６を正回転させた後、５秒間停止させ、その後、４９ｒｐｍで２０秒間、ドラム６を逆回転させる一連の動作が、順次繰り返される。
【００３６】
また、［なじませ］、［洗い１］、および、［洗い２］の各工程において、第２給水弁１４が制御され、給水ノズル２５から液滴シャワー流Ｓが噴射される。噴射される液滴シャワー流Ｓは、給水ノズル２５の先端の絞り部を通過することで、流速が大きくなり、大きな運動エネルギーを有している。この大きな運動エネルギーを持った液滴シャワー流Ｓを洗濯物７０に対して噴射することで、洗濯物７０に付着した汚れを効果的に洗い落とすことができる。
【００３７】
第１ドライコースの洗濯工程は、図５に示すように、［給水］、［なじませ］、［補給水］、［洗い１］、および、［排水］の各工程で構成されている。
【００３８】
第１ドライコースの洗濯工程では、［なじませ］工程および［洗い１］工程でメインモータ１７が制御され、タンブリング動作が行われる。この第１ドライコースのタンブリング動作では、１０ｒｐｍで６秒間、ドラム６を正回転させた後、２０秒間停止させ、その後、１０ｒｐｍで６秒間、ドラムを逆回転させる一連の動作が、順次繰り返される。
【００３９】
なお、第１ドライコースでは、第２給水弁１４が制御されず、洗濯物７０に対する液滴シャワー流Ｓの噴射は行われない。
【００４０】
第２ドライコースの洗濯工程は、図６に示すように、［給水］、［なじませ］、［補給水］、［洗い１］、［補給水］、［洗い２］、［補給水］、［洗い３］、［排水］で構成されている。
【００４１】
第２ドライコースの洗濯工程では、［なじませ］、［洗い１］、［洗い２］、および、［洗い３］の各工程でメインモータ１７が制御され、タンブリング動作が行われる。この第１ドライコースでは、２種類のタンブリング動作が行われる。［なじませ］、［洗い１］、および［洗い３］の各工程のタンブリング動作では、１０ｒｐｍで６秒間、ドラム６を正回転させた後、２０秒間停止させ、その後、１０ｒｐｍで６秒間、ドラムを逆回転させる一連の動作が、順次繰り返される。また、［洗い２］工程のタンブリング動作では、４９ｒｐｍで８秒間、ドラム６を正回転させた後、８秒間停止させ、その後、４９ｒｐｍで８秒間、ドラムを逆回転させる一連の動作が、順次繰り返される。
【００４２】
すなわち、第２ドライコースの洗濯工程では、第１ドライコースでは行われない［洗い２］および［洗い３］工程が設けられ、［洗い２］工程では、標準コースの洗濯工程と同じ回転数でタンブリング動作が行われる。また、［なじませ］工程および［洗い２］工程において、第２給水弁１４が制御され、給水ノズル２５から液滴シャワー流Ｓが噴射される。
これにより、第２ドライコースの洗浄性能を高めている。
【００４３】
このように、上記ドラム式洗濯乾燥機１では、洗濯コースとして、標準コースと、この標準コースよりも洗濯物７０を痛めないようにメインモータ１７および給水装置７が制御されるおしゃれ着洗いコースとを有し、このおしゃれ着洗いコースに、第１ドライコースと、この第１ドライコースよりも洗浄性能が高い第２ドライコースとが含まれている。これにより、例えば、標準コースで洗濯すると生地を傷めてしまうが、ドライコースで洗濯すると汚れを十分に落とすことができないようなおしゃれ着に適した洗濯を行うことができる。すなわち、多様な衣類に適した洗濯を行うことができる。
【００４４】
また、洗濯コースとしておしゃれ着洗いコースが選択されたときに、汚れセンサ４８により検出された洗濯物７０の汚れ度合いに応じて、第１，第２ドライコースのいずれかが選択される。これにより、洗濯物７０の汚れ度合いに適した洗濯を行うことができる。
【００４５】
なお、おしゃれ着洗いコース、すなわち、第１，第２ドライコースにおける外槽４の内部の水位は、標準コースにおける外槽４の内部の水位よりも高くなるように設定されている。第１，第２ドライコースでは、衣類への機械力が大きな洗い方（たたき洗い的な洗い方）で洗濯が行われ、標準コースでは、衣類への機械力が小さい洗い方（押し洗い的な洗い方）で洗濯が行われる。
【００４６】
第１実施形態のドラム式洗濯乾燥機１では、水位センサ４２における水位の検出方法として、エアトラップ３３および導圧パイプ３４を用いた方法を用いたが、これに限らない。外槽４の内部の水位が検出できる方法であれば、任意の方法を採用できる。
【００４７】
給水ノズル２５は、大きな運動エネルギーを持った液滴シャワー流Ｓが、洗濯物７０に対して噴射されることで、洗濯物７０に付着した汚れを効果的に洗い落とすような圧力の水流Ｓを噴射するものであればよい。
【００４８】
給水ノズル２５から噴射される水流Ｓは、粒状の旋回流であってもよいし、直線状に噴射される直線状水流であってもよい。水流Ｓが直線状に噴射される場合、その数は、単数であってもよいし、複数であってもよい。
【００４９】
給水ノズル２５から噴射される水流Ｓは、小さな液滴が断続して流れる液滴水流であってもよいし、水が連続して流れる連続水流であってもよい。
【００５０】
給水ノズル２５から噴射される水は、給水部１２から供給される水道水に限らず、例えば、循環ポンプ３５により外槽４の内部に戻される洗濯水であってもよい。この場合、循環経路が給水ノズルに接続されるようにすればよい。
【００５１】
汚れセンサ４８は、粉末洗剤と液体洗剤との判別により洗濯物７０の汚れ度合いを判別する場合に限らない。例えば、液体洗剤の液性により洗濯物の汚れ度合いを判別してもよい。例えば、使用している液体洗剤が中性の場合、汚れ度合いが低く、使用している液体洗剤が弱アルカリ性の場合、汚れ度合いが高いと判別してもよい。
【００５２】
汚れセンサ４８は、使用する洗剤の種類を判別することにより、洗濯物７０の汚れ度合いを検出しているが、これに限らない。例えば、［給水］工程において、洗濯処理剤を流入させる前に外槽４の内部に給水を行い、給水された水の透過率から、洗濯物の汚れ度合いを検出してもよい。この場合、検出された透過率が所定の閾値よりも大きい場合、汚れ度が低いと判別し、検出された透過率が所定の閾値よりも小さい場合、汚れ度が高いと判別すればよい。
【００５３】
ドライコース選択部４０ａおよび汚れセンサ４８は、省略することができる。
【００５４】
おしゃれ着洗いコースは、第１，第２ドライコースに限らず、洗浄性能の異なる３以上のドライコースを有することができる。
【００５５】
（第２実施形態）
本発明の第２実施形態のドラム式洗濯乾燥機１は、図７に示すように、操作表示部５におしゃれ着コース表示部５１を設けた点で、第１実施形態のドラム式洗濯乾燥機１と異なっている。
【００５６】
なお、この第２実施形態では、第１実施形態と同一部分に同一参照番号を付して説明を省略し、第１実施形態と異なる点について説明する。
【００５７】
おしゃれ着コース表示部５１は、操作表示部５の選択キーの１つであり、押すことで、おしゃれ着コースが選択されると共に点灯して、おしゃれ着コース表示部５１が選択されたことが表示される。また、おしゃれ着コース表示部５１は、ドライコース選択部４０ａによって第１ドライコースが選択された場合、点灯から点滅に表示が変更され、ドライコース選択部４０ａによって第２ドライコースが選択された場合、点灯のまま表示が変更されない。すなわち、第１ドライコースが選択されている場合は、おしゃれ着コース表示部５１が点滅表示され、第２ドライコースが選択されている場合は、おしゃれ着コース表示部５１が点灯表示される。
【００５８】
このように、第２実施形態のドラム式洗濯乾燥機１では、おしゃれ着コース表示部５１に、第１，第２ドライコースのうちの選択されているドライコースが表示されるので、選択されている洗濯コースを確認することができる。これにより、使用者の利便性を高めることができる。
【００５９】
なお、おしゃれ着コース表示部５１は、選択されているドライコースを表示するものであればよい。例えば、液晶ディスプレイに選択されているドライコースが表示されるものであってもよいし、点灯または点滅する色（例えば、第１ドライコースは青色点灯、第２ドライコースは赤色点滅）によりドライコースが表示されるものであってもよい。
【００６０】
また、おしゃれ着コース表示部５１は、ドライコース選択部４０ａによるドライコースの自動選択のオン／オフを行えるものであってもよい。例えば、おしゃれ着コース表示部５１を長押しすることによって、ドライコースの自動選択のオン／オフが行えるようにしてもよい。また、液晶ディスプレイが設けられている場合は、この液晶ディスプレイを介してドライコースの自動選択のオン／オフが行えるようにしてもよい。
【００６１】
（第３実施形態）
本発明の第３実施形態のドラム式洗濯乾燥機１は、図８に示すように、操作表示部５にドライコース設定部５ａを設けた点で、第１実施形態のドラム式洗濯乾燥機１と異なっている。
【００６２】
なお、この第３実施形態では、第１実施形態と同一部分に同一参照番号を付して説明を省略し、第１実施形態と異なる点について説明する。
【００６３】
操作表示部５のドライコース設定部５ａは、第１，第２ドライコース毎に、メインモータ１７および給水装置７の制御設定を行う。例えば、洗濯工程時におけるタンブリング動作の強弱、および、給水ノズル２５の使用の有無、あるいは、脱水工程時における脱水回転数を第１，第２ドライコース毎に個別に設定できる。これにより、例えば、第１ドライコースの洗濯工程の［洗い１］工程において、第２給水弁１４が制御され、給水ノズル２５から液滴シャワー流Ｓが噴射されるように設定することができる。また、第２ドライコースの洗濯工程の［洗い２］工程において、［なじませ］、［洗い１］、および、［洗い３］の各工程と同じタンブリング動作が行われるように設定することができる。
【００６４】
このように、第３実施形態のドラム式洗濯乾燥機１では、洗濯工程時におけるタンブリング動作の強弱、および、給水ノズル２５の使用の有無、あるいは、脱水工程時における脱水回転数等を第１，第２ドライコース毎に個別に設定できる。このため、洗濯したい衣類が第１，第２ドライコースに適していない場合であっても、この衣類に適した洗濯を行うことができる。
【００６５】
（第４実施形態）
上記第１〜第３実施形態では、ドラム式洗濯乾燥機について説明したが、縦型洗濯乾燥機にこの発明を適用してもよい。
【００６６】
本発明および実施形態をまとめると、次のようになる。
【００６７】
本発明の洗濯機１は、
外槽４と、
上記外槽４の内部に回転可能に配置され、洗濯物７０が収容される内槽６と、
上記内槽６を回転させる駆動装置１７と、
上記外槽４の内部に給水する給水装置７と、
洗濯コースを選択する選択部５と、
上記選択部５で選択された洗濯コースに応じて、上記駆動装置１７および上記給水装置７を制御する制御装置４０と、
を備え、
上記選択部５で選択可能な洗濯コースとして、標準コースと、この標準コースよりも上記洗濯物を痛めないように上記駆動装置１７および上記給水装置７が制御されるおしゃれ着洗いコースとを有し、このおしゃれ着洗いコースには、第１ドライコースと、この第１ドライコースよりも洗浄性能が高い第２ドライコースとが含まれていることを特徴としている。
【００６８】
上記構成によれば、洗濯コースとして、標準コースと、この標準コースよりも洗濯物７０を痛めないように駆動装置１７および給水装置７が制御されるおしゃれ着洗いコースとを有し、このおしゃれ着洗いコースに、第１ドライコースと、この第１ドライコースよりも洗浄性能が高い第２ドライコースとが含まれている。これにより、多様な衣類に適した洗濯を行うことができる。
【００６９】
また、一実施形態の洗濯機１では、
上記洗濯物７０の汚れ度合いを検出する汚れ検出部４８を備え、
上記制御装置４０が、
上記選択部５で上記おしゃれ着洗いコースが選択されたときに、上記汚れ検出部４８により検出された上記洗濯物７０の汚れ度合いに応じて、上記第１，第２ドライコースのいずれかを選択するドライコース選択部４０ａを有している。
【００７０】
上記実施形態によれば、洗濯コースとしておしゃれ着洗いコースが選択されたときに、汚れ検出部４８により検出された洗濯物７０の汚れ度合いに応じて、第１，第２ドライコースのいずれかが選択される。これにより、洗濯物７０の汚れ度合いに適した洗濯を行うことができる。
【００７１】
また、一実施形態の洗濯機１では、
上記給水装置７が、上記内槽６に収容された上記洗濯物７０に向けて水流を噴射するための給水ノズル２５を含み、
上記第２ドライコースの洗濯工程において、上記給水ノズル２５から水流Ｓが上記洗濯物７０に向けて噴射される。
【００７２】
上記実施形態によれば、給水ノズル２５から噴射される水流Ｓにより、洗濯物７０に付着した汚れを効果的に洗い落とすことができるので、第２ドライコースの洗浄性能を高めることができる。
【００７３】
また、一実施形態の洗濯機１では、
上記第１，第２ドライコースのうちの選択されているドライコースを表示するための表示部５１を備えた。
【００７４】
上記実施形態によれば、表示部５１により選択されている洗濯コースを確認することができる。これにより、使用者の利便性を高めることができる。
【００７５】
また、一実施形態の洗濯機１では、
上記選択部５が、上記第１，第２ドライコース毎に上記駆動装置１７および上記給水装置７の制御設定を行うためのドライコース設定部５ａを有する。
【００７６】
上記実施形態によれば、洗濯したい衣類が第１，第２ドライコースに適していない場合であっても、この衣類に適した洗濯を行うことができる。
【００７７】
また、一実施形態の洗濯機１では、
上記外槽４内の水位を検出する水位センサ４２を備え、
上記おしゃれ着洗いコースが選択されたときの上記外槽４の内部の水位が、上記標準コースが選択されたときの上記外槽４の内部の水位よりも高くなるように、上記給水装置７が制御される。
【００７８】
上記実施形態によれば、おしゃれ着洗いコースでは、衣類への機械力が大きな洗い方（たたき洗い的な洗い方）で洗濯を行うことができ、標準コースでは、衣類への機械力が小さい洗い方（押し洗い的な洗い方）で洗濯を行うことができる。
【００７９】
上記第１〜第４実施形態で述べた構成要素は、適宜、組み合わせてもよく、また、適宜、選択、置換、あるいは、削除してもよいことは、勿論である。
【符号の説明】
【００８０】
１  ドラム式洗濯乾燥機
１ａ  外箱
２  開口部
３  ドア
４  外槽
５  操作表示部（選択部）
５ａ  ドライコース設定部
６  ドラム（内槽）
７  給水装置
７０  洗濯物
８  収容ケース
９  収容ケース給水経路
１０  外槽給水経路
１１  ノズル給水経路
１２  給水部
１３  第１給水弁
１４  第２給水弁
１５  開口部
１６  サスペンション
１７  メインモータ(駆動装置)
１８  開口部
１９  貫通孔
２０  パッキン
２１  本体部
２２  蓋部
２３  第１経路
２４  第２経路
２５  給水ノズル
２６  排水口
２７  排水ダクト
２８  フィルタケース
２９  排水ホース
３０  排水弁
３１  排水用モータ
３２  リントフィルタ
３３  エアトラップ
３４  導圧パイプ
３５  循環ポンプ
４０  制御装置
４０ａ  ドライコース選択部
４１  フィルタ装置
４２  水位センサ
４３  回転速度センサ
４４  電圧センサ
４５  振動センサ
４６  負荷駆動回路
４７  インバータ
４８  汚れセンサ
５１  おしゃれ着コース表示部
６０  溢水口
７０  洗濯物
１００  ヒートポンプユニット
１１０  送風ファン
Ｓ  液滴シャワー流
【図１】
0006792348.tif 000002
【図２】
0006792348.tif 000003
【図３】
0006792348.tif 000004
【図４】
0006792348.tif 000005
【図５】
0006792348.tif 000006
【図６】
0006792348.tif 000007
【図７】
0006792348.tif 000008
【図８】
0006792348.tif 000009